(57)【特許請求の範囲】
【請求項１】
液状物が扁平パウチに充填されたパウチ包装物を面陳列するために用いられるディスプレイスタンドであって、
前記パウチ包装物を背面側から支える背板と、前記パウチ包装物を正面側から押さえつける前板と、前記パウチ包装物を下端側から支える底板と、を備え、
前記前板は、前記背板の正面のうち少なくとも下端側領域を覆い、かつ、前記背板との間に隙間が形成されるように配置され、
前記底板は、前記背板の下端と前記前板の下端を繋ぐように配置され、
前記背板の正面のうち前記前板に覆われた領域に、前記ディスプレイスタンドの幅方向に延びる、少なくとも１本の線状凸部が形成され、
前記線状凸部の先端と前記前板の背面との間には隙間が形成されており、
前記前板は下端から上端に至るまで前記背板と接触しておらず、
前記背板と前記前板の間に形成される隙間が、前記前板の下端側から前記前板の上端側に向かうにつれて狭まるように構成されていることを特徴とするディスプレイスタンド。
【請求項２】
前記線状凸部は、その上面が下向きの傾斜面となるように形成されている請求項１に記載のディスプレイスタンド。
【請求項３】
前記背板の下端近傍領域および／または前記前板の下端近傍領域に、前記背板および／または前記前板を貫通し、かつ、前記ディスプレイスタンドの幅方向に延びる開口部が少なくとも１箇所形成されている請求項１または２に記載のディスプレイスタンド。
【発明の詳細な説明】
【技術分野】
【０００１】
本発明は、液状香粧品などの液状物が扁平パウチに充填されたパウチ包装物を面陳列するために用いられるディスプレイスタンドに関するものである。
【背景技術】
【０００２】
近年、ホテルなどの宿泊施設においては、シャンプーや整髪料などの液状香粧品が小分け包装されたパウチ包装物が提供されている。このパウチ包装物は１回の使用量に相当する量の液状香粧品が扁平パウチに充填された使い切りタイプの包装物である。したがって、ホテルのような不特定多数が利用する施設においても、液状香粧品を清潔に使用することができるという利点がある。
【０００３】
ところで、前記のようなパウチ包装物は清潔性を保つという実用的な側面だけではなく、施設のイメージアップグッズとしての側面も有している。例えば、一般家庭用とは異なるデザイン性の高いパウチを採用することで、特別感や高級感を醸し出すことができ、施設のイメージアップを図ることができる。実際、高級ホテルにおいては、そのホテル固有の優美なデザインを施したパウチ包装物が提供されている。このようなパウチ包装物は持ち帰り可能なアメニティグッズとして女性に人気がある。
【０００４】
前記のように、パウチ包装物は施設のイメージアップグッズとしての側面を有している。したがって、パウチ包装物を提供する施設としては、パウダールームのような狭いスペースでもパウチ包装物をコンパクトに、かつ、高いデザイン性を損なうことなく、陳列（ディスプレイ）したいという要望がある。
【０００５】
商品のデザイン性を損なうことなく、商品を陳列する方法としては、面陳列（「面陳」とも言う）という手法が知られている。面陳列とは、商品を背面側に位置する壁に立てかけ、商品の正面が見えるように商品を陳列する手法を指す。このような手法であれば、商品のデザインの中心的な役割を果たす商品の正面が隠れないため、商品のデザイン性を損なうことなく、商品を陳列することができる。
【０００６】
商品を面陳列するための面陳列器具としては、書籍、ＣＤ等の平板状の商品を面陳列するための面陳列器具が提案されている（特許文献１）。この面陳列器具は、底板部と、前記底板部の後端から立ち上がる斜面部と、前記底板部の前縁に形成されるストッパー部と、前記斜面部の両側端に形成した支脚部とを具えている。
【０００７】
別の面陳列器具としては、店頭で携帯電話機を面陳列するための店頭陳列用スタンドが提案されている（特許文献２）。この店頭陳列用スタンドは、鉛直面に対して後傾姿勢に傾斜する前板と、前板を後傾姿勢に支持する後板と、前板の下端から前方に向けて上り勾配を有して折曲形成された底受板と、底受板の前端縁から上向きに折曲形成されたフロントストッパを備えている。
【０００８】
また、パウチやチューブ、袋などの柔軟な包装物を陳列するための陳列器具としては、押出しチューブなどの展示用商品を展示・陳列するためのディスプレイトレイが提案されている（特許文献３から５）。このディスプレイトレイは、展示用商品を嵌入保持する筒状凹部を長手方向および巾方向に間隔をあけて複数個対向して並列配備した天板と、該天板の周囲を囲繞する側面板とを合成樹脂で一体成形したものである。
【０００９】
別の陳列器具としては、ヨーグルト等の流動性液体を柔軟性の包装袋に収容した軟包装物を陳列する際に該軟包装物を自立させる自立具が提案されている（特許文献６）。この自立具は、下端に安定のための基底面を有し、上端に軟包装物を載置して支持するとともに該軟包装物の下端面を押圧する長尺状の畝部を有し、該畝部が、上に載置された軟包装物の下端面を押圧させて安定化させて自立させるものである。
【００１０】
更に別の陳列器具としては、方形の小型平袋を取り付けるための展示用ボードが提案されている（特許文献７）。この展示用ボードは、下側には方形の小型平袋の隣り合う二つの隅角を差し込み固定するための一組のスリットがそれぞれ設けられ、上側には方形の小型平袋のもう一方の二つの隅角を両端に有する辺の略中央部分を挟持固定するための挟持片が区画形成されているものである。
【先行技術文献】
【特許文献】
【００１１】
【特許文献１】実登第３１６９１２８号
【特許文献２】特開２００１−９２３６１号公報
【特許文献３】特開平８−２１７０４８号公報
【特許文献４】特開平８−２１７０４９号公報
【特許文献５】特開平８−２１７０５０号公報
【特許文献６】特開２００７−２９２０３号公報
【特許文献７】特開２００７−１１７１６２号公報
【発明の概要】
【発明が解決しようとする課題】
【００１２】
しかし、特許文献１から７に記載の技術はいずれも、液状香粧品が扁平パウチに充填されたパウチ包装物を陳列する用途には適していないものであった。
【００１３】
例えば、特許文献１に記載の面陳列器具や特許文献２に記載の店頭陳列用スタンドは、書籍やＣＤ、携帯電話機のような、硬質で安定的な形状を有する（自重で変形しない）商品を陳列対象とし、商品の正面側に位置する部材（ストッパー部、フロントストッパ）をストッパーとして、商品の背面側に位置する部材（斜面部、前板）に商品を安定的に立てかけるという思想に基づくものである。
【００１４】
しかし、液状香粧品が扁平パウチに充填されたパウチ包装物は柔軟性に富み、形状が不安定である（自重で変形する）ために、前記パウチ包装物の背面側に位置する部材（斜面部、前板）に前記パウチ包装物を安定的に立てかけることは困難である。具体的には、
（１）前記パウチ包装物を所望の位置にセットし、見栄え良く陳列することが難しい、
（２）仮に前記パウチ包装物を所望の位置にセットできたとしても前記パウチ包装物がその位置から動いてしまう（或いは倒れてしまう）、
（３）デザイン性や見栄えを考慮して、縦長形状のパウチ包装物を縦置きして陳列するような場合には、前記（１）および（２）の問題が、より顕著に発生する、という問題がある。
【００１５】
また、特許文献３から５に記載のディスプレイトレイは、歯みがき粉の押出しチューブのような、比較的硬質な素材からなるキャップを有する商品を陳列対象とし、前記キャップを天板の筒状凹部に嵌め込むことによって商品を安定的に固定するという思想に基づくものである。しかし、液状香粧品が扁平パウチに充填されたパウチ包装物は、そのようなキャップ（硬質部分）を有していないため、前記パウチ包装物を天板の筒状凹部に嵌め込むことによって前記パウチ包装物を安定的に固定することはできない、という問題がある。
【００１６】
さらに、特許文献６に記載の自立具は、底や襠（まち、ガセット）を有する比較的厚みがある軟包装物を陳列対象とし、前記軟包装物の下端面（底）に畝部を押し付けて、前記軟包装物を前記畝部の形状に追従するように変形させ、前記軟包装物を安定化させ自立させるという思想に基づくものである。しかし、液状香粧品が扁平パウチに充填されたパウチ包装物は、底や襠（まち、ガセット）を有しない扁平形状であるため、前記パウチ包装物を畝部に押し付けることによって前記パウチ包装物を安定的に自立させることはできない、という問題がある。
【００１７】
さらにまた、特許文献７に記載の展示用ボードは、下側の一組のスリットに、平袋の下側に位置する二つの隅角を差し込み、上側の挟持片により、平袋の上辺の略中央部分を挟持固定するという思想に基づくものである。しかし、二つの隅角をスリットに差し込み、上辺の略中央部分を挟持固定するという固定方法は面倒であり、前記パウチ包装物のセットに時間と手間を要するという問題がある。また、スリットのある位置にしか前記パウチ包装物をセットすることができず、陳列のバリエーションや自由度に乏しいという問題もある。
【００１８】
以上説明したように、柔軟性に富み、形状が不安定であり（自重で変形し）、かつ、底や襠（まち、ガセット）を有しないパウチ包装物の面陳列に適した面陳列器具は未だ開示されていない。本発明は、前記従来技術が有する課題を解決するものである。すなわち、本発明は、柔軟性に富み、形状が不安定であり（自重で変形し）、かつ、底や襠（まち、ガセット）を有しないパウチ包装物が陳列対象であっても、そのパウチ包装物を所望の位置に確実に素早くセットすることができ（陳列の作業性を向上させることができ）、陳列のバリエーションや自由度にも富む面陳列用のディスプレイスタンドを提供するものである。
【課題を解決するための手段】
【００１９】
本発明者らは、前記従来技術が有する課題を解決すべく鋭意検討を重ねた結果、パウチ包装物を背面側から支える背板の正面に、ディスプレイスタンドの幅方向に延びる線状凸部を形成すること；によって、前記従来技術が有する課題を解決可能であることを見出し、本発明を完成するに至った。即ち、前記課題は以下に示す本発明によって解決される。
【００２０】
本発明は、液状物が扁平パウチに充填されたパウチ包装物を面陳列するために用いられるディスプレイスタンドであって、前記パウチ包装物を背面側から支える背板と、前記パウチ包装物を正面側から押さえつける前板と、前記パウチ包装物を下端側から支える底板と、を備え、前記前板は、前記背板の正面のうち少なくとも下端側領域を覆い、かつ、前記背板との間に隙間が形成されるように配置され、前記底板は、前記背板の下端と前記前板の下端を繋ぐように配置され、前記背板の正面のうち前記前板に覆われた領域に、前記ディスプレイスタンドの幅方向に延びる、少なくとも１本の線状凸部が形成され、前記線状凸部の先端と前記前板の背面との間には隙間が形成されており、前記前板は下端から上端に至るまで前記背板と接触しておらず、前記背板と前記前板の間に形成される隙間が、前記前板の下端側から前記前板の上端側に向かうにつれて狭まるように構成されていることを特徴とするディスプレイスタンドである。
【００２１】
本発明のディスプレイスタンドは、
前記線状凸部は、その上面が下向きの傾斜面となるように形成されていること；
前記背板の下端近傍領域および／または前記前板の下端近傍領域に、前記背板および／または前記前板を貫通し、かつ、前記ディスプレイスタンドの幅方向に延びる開口部が少なくとも１箇所形成されていること；が好ましい。
【発明の効果】
【００２２】
本発明のディスプレイスタンドは、柔軟性に富み、形状が不安定であり（自重で変形し）、かつ、底や襠（まち、ガセット）を有しないパウチ包装物が陳列対象であっても、そのパウチ包装物を所望の位置に確実に素早くセットすることができ（陳列の作業性を向上させることができ）、陳列のバリエーションや自由度にも富む。
【図面の簡単な説明】
【００２３】
【図１Ａ】本発明のディスプレイスタンドの一の実施形態を示す斜視図である。
【図１Ｂ】図１Ａに示すディスプレイスタンドのＡ−Ａ‘断面図である。
【図１Ｃ】図１Ａに示すディスプレイスタンドの使用状態を示す斜視図である。
【図１Ｄ】図１Ｃに示す使用状態のＢ−Ｂ‘断面図である。
【図１Ｅ】図１Ａに示すディスプレイスタンドの展開図である。
【図２Ａ】従来のディスプレイスタンドの一の実施形態を示す斜視図である。
【図２Ｂ】図２Ａに示すディスプレイスタンドのＣ−Ｃ‘断面図である。
【図２Ｃ】図２Ａに示すディスプレイスタンドの使用状態を示す斜視図である。
【図２Ｄ】図２Ｃに示す使用状態のＤ−Ｄ‘断面図である。
【図３Ａ】図１Ｂに示す線状凸部を示す一部拡大断面図である。
【図３Ｂ】線状凸部の別の形態を示す一部拡大断面図である。
【図３Ｃ】線状凸部のさらに別の形態を示す一部拡大断面図である。
【図３Ｄ】線状凸部のさらにまた別の形態を示す一部拡大断面図である。
【発明を実施するための形態】
【００２４】
以下、図面を参照しながら、本発明を実施するための形態について具体的に説明する。ただし、本発明はその特定事項を満たす全ての実施形態を包含するものであり、以下に示す実施形態のみに限定されるものではない。
【００２５】
［１］本発明のディスプレイスタンドの特徴：
本発明のディスプレイスタンドは、図１Ａおよび図１Ｂに示すディスプレイスタンド１のように、
（１）前板４が、背板２の正面のうち少なくとも下端側領域を覆い、かつ、背板２との間に隙間１０が形成されるように配置されている点；
（２）背板２の正面のうち前板４に覆われた領域（および／または前板４の背面）に、ディスプレイスタンド１の幅方向に延びる、少なくとも１本の線状凸部８が形成されている点；に特徴がある。
【００２６】
本発明のディスプレイスタンドによれば、柔軟性に富み、形状が不安定であり（自重で変形し）、かつ、底や襠（まち、ガセット）を有しないパウチ包装物を陳列対象とする場合であっても、図１Ｃおよび図１Ｄに示すように、パウチ包装物２０は前板４と背板２の間で安定的に保持される。そして、背板２と前板４の間に形成された隙間１０にパウチ包装物２０を上から差し込むという極めて簡単な動作で、パウチ包装物２０を所望の位置にセットし、見栄え良く陳列することができる。ホテルなどの宿泊施設においては、多数の客室で、多数のパウチ包装物を短時間に見栄え良く陳列する必要がある。本発明のディスプレイスタンドは、パウチ包装物を陳列する手間を削減し、陳列の作業性を向上させ、陳列時間を短縮するという効果を奏する。
【００２７】
また、本発明のディスプレイスタンドにおいては、図１Ｄに示すように、隙間１０に差し込まれたパウチ包装物２０が、線状凸部８によって前板４側に押し付けられる。このように、線状凸部８によってパウチ包装物２０を前板４側に押し付けるように固定することで、パウチ包装物２０が容易には動かないように確実に固定される。このため、パウチ包装物２０を一旦、所望の位置にセットすれば、パウチ包装物２０がその位置から動いてしまったり、或いは倒れてしまったりする不具合を効果的に抑制することができる。
【００２８】
さらに、本発明のディスプレイスタンドにおいては、図１Ｃに示すように、線状凸部８が形成されている位置であれば、ディスプレイスタンド１の幅方向のいずれの位置においてもパウチ包装物２０をセットし、固定することができる。したがって、パウチ包装物２０の陳列のバリエーションや自由度に富むものである。
【００２９】
ここで、本発明の特徴的構成である線状凸部が形成されていないディスプレイスタンドの例を図２Ａから図２Ｄに示す。図２Ａから図２Ｄに示すディスプレイスタンド５１は、
（１）背板５２と、前板５４と、底板５６と、を備えている点；
（２）前板５４は、背板５２の正面のうち下端側領域を覆い、かつ、背板５２との間に隙間６０が形成されるように配置されている点；
（３）底板５６は、背板５２の下端と前板５４の下端を繋ぐように配置されている点；については、本発明と同様であるものの、前記線状凸部が形成されていない。
【００３０】
図２Ａから図２Ｄに示すディスプレイスタンド５１は、線状凸部が形成されていないため、隙間６０に差し込まれたパウチ包装物２０が線状凸部によって前板５４側に押し付けられることはない。このため、パウチ包装物２０は隙間６０の間に置かれているだけで固定されてはいない。このため、パウチ包装物２０を一旦、所望の位置にセットしても、パウチ包装物２０がその位置から動いてしまったり、或いは倒れてしまったりする不具合を生ずるおそれがある。
【００３１】
［２］本発明のディスプレイスタンドの用途：
本発明のディスプレイスタンドは、液状物が扁平パウチに充填されたパウチ包装物を面陳列するために用いられるディスプレイスタンドである。
【００３２】
「液状物」とは、液体またはこれに準ずる流動性を有する物体を意味し、液体（溶液など）；コロイド（フォーム、エマルション、ゲル、サスペンジョンなど）；などが含まれる。「液状物」の具体例としては、液状香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などが挙げられる。
【００３３】
「扁平パウチ」とは、厚みのない袋状の密閉容器を意味する。「扁平パウチ」としては、底や襠（まち、ガセット）を有しない袋状の密閉容器が好ましい。具体的には、図１Ｃに示すパウチ包装物２０で使用されている４方シール袋などが挙げられる。本発明のディスプレイスタンドは、図１Ｃおよび図１Ｄに示すように、縦長形状のパウチ包装物２０を縦置きして陳列する場合であっても、線状凸部８によってパウチ包装物２０を安定的に固定することができる。
【００３４】
［３］本発明のディスプレイスタンドの構成：
本発明のディスプレイスタンドは、図１Ａおよび図１Ｂに示すディスプレイスタンド１のように、背板２と、前板４と、底板６と、を備える。以下、構成部材ごとに説明する。
【００３５】
［３−１］背板：
本発明のディスプレイスタンドは、図１Ａから図１Ｄに示すディスプレイスタンド１のように、パウチ包装物２０を背面側から支える背板２を備える。パウチ包装物を背面側から支えるという役割を果たすために、背板の高さはパウチ包装物の縦寸法（図１Ｃで言えば図面上下方向の寸法）の５０％以上とすることが好ましく、７０％以上とすることがさらに好ましい。背板の全体形状は特に限定されない。ただし、矩形状または正方形状であることが好ましい。
【００３６】
本発明のディスプレイスタンドは、図１Ａから図１Ｄに示すディスプレイスタンド１のように、背板２が後傾姿勢に保持されていることが好ましい。「後傾姿勢」とは、ディスプレイスタンドを設置した状態において、背板の正面が上向きになっていることを意味する。背板が後傾姿勢に保持されることで、背板がパウチ包装物を背面側から支えることができる。また、パウチ包装物も後傾姿勢に固定されるため、パウチ包装物が鉛直方向に沿って起立している場合よりもパウチ包装物の正面のデザインを見やすくすることができる。背板とディスプレイスタンドの設置面とがなす角度は特に限定されない。ただし、前記角度は９０°未満であることが好ましく、４０°以上８０°以下であることがさらに好ましい。
【００３７】
背板を後傾姿勢に保持する方法は特に限定されない。例えば、図１Ａから図１Ｄに示すディスプレイスタンド１のように、背板２の背面側に背板保持板１４を配置し、背板保持板１４によって背板２を後傾姿勢に保持する方法などを採用することができる。ディスプレイスタンド１においては、背板２の上端と背板保持板１４の上端が一致するように構成されている。このような構成はディスプレイスタンドを一枚板の折り曲げ加工によって形成することが可能となる点において好ましい。
【００３８】
［３−２］線状凸部：
本発明のディスプレイスタンドは、図１Ａから図１Ｄに示すディスプレイスタンド１のように、背板２の正面のうち前板４に覆われた領域（および／または前板の背面）に、ディスプレイスタンド１の幅方向に延びる、少なくとも１本の線状凸部８が形成されている。「少なくとも１本」としたのは、１本の線状凸部が形成されている形態の他、２本以上の線状凸部が形成されている形態も本発明の範囲に含める趣旨である。
【００３９】
「線状凸部」とは、ディスプレイスタンドの幅方向に延びる直線状の凸部であって、（１）背板の正面から前方に向かって突出する部分；または、（２）前板の背面から後方に向かって突出する部分；である。
【００４０】
線状凸部は「背板の正面」（すなわち前板の背面と向かい合う面）および／または「前板の背面」（すなわち背板の正面と向かい合う面）に形成される。「前板に覆われた領域」とは、ディスプレイスタンドをその正面側から透視した場合に、背板と前板が重なり合っている領域を意味する。「ディスプレイスタンドの幅方向」とは、背板や前板の高さ方向とは直交する方向であり、図１Ａで言えば図面左右方向を指す。
【００４１】
線状凸部の長さ（ディスプレイスタンドの幅方向の寸法）は特に限定されない。ただし、図１Ａおよび図１Ｃに示すディスプレイスタンド１のように、線状凸部８が背板２に形成されている場合には、線状凸部８が背板２の幅方向の全領域をカバーする長さに形成されていることが好ましい。また、線状凸部が前板に形成されている場合には、線状凸部が前板の幅方向の全領域をカバーする長さに形成されていることが好ましい。
【００４２】
図３Ａは、図１Ｂに示す線状凸部８を示す一部拡大断面図である。本発明のディスプレイスタンドは、図３Ａに示すように、線状凸部８の上面が下向きの傾斜面１６となるように形成されていることが好ましい。「上面が下向きの傾斜面となるように」とは、図３Ａに示すように、背板２と傾斜面１６のなす角度が鈍角になっていることを意味する。例えば、図１Ａから図１Ｄに示すディスプレイスタンド１においては、図３Ａに示すように、線状凸部８は側方から見た形状が直角二等辺三角形である三角柱状で、背板２と線状凸部８の傾斜面１６のなす角度が鈍角（１３５°）になっている。このような構造とすることで、前板と背板との間に形成される隙間にパウチ包装物を差し込んだ際に、パウチ包装物の下端が線状凸部の下向きの傾斜面に沿って、前記隙間にスムーズに挿入される。したがって、ディスプレイスタンドにパウチ包装物を迅速にセットし、固定することができる。
【００４３】
下向きの傾斜面は平面である必要はなく、曲面であってもよい。例えば図３Ｂに示す線状凸部８ａのような半円柱状（側方から見た形状が半円）であってもよいし、半楕円柱状（側方から見た形状が半楕円）であってもよい。また、図３Ｃに示す線状凸部８ｂのような四角柱状（側方から見た形状が等脚台形）であってもよい。図３Ａから図３Ｃに示す線状凸部８，８ａ，８ｂは、いずれも下向きの傾斜面１６，１６ａ，１６ｂと、前記下向きの傾斜面と対称な傾斜面を有し、対称形状に形成されている。ただし、図３Ｄに示す線状凸部８ｃのように、下向きの傾斜面１６ｃと対称な傾斜面を有しない非対称形状に形成されていてもよい。前記線状凸部がこれらの形状である場合にも、前板と背板との間に形成される隙間にパウチ包装物を差し込んだ際に、パウチ包装物の下端が線状凸部の下向きの傾斜面に沿ってスムーズに挿入される。
【００４４】
前記線状凸部は背板または前板と一体成形されていてもよい。ただし、複雑な構造の成形型を必要としない点で、図１Ａから図１Ｄに示すディスプレイスタンド１のように、背板２（あるいは前板）に対して、別体の線状凸部８を貼り合わせた構造とすることが好ましい。
【００４５】
前記線状凸部の高さは特に限定されず、陳列対象となるパウチ包装物の厚みを勘案して適宜定めればよい。線状凸部の先端と前板の背面または背板の正面との隙間が、陳列対象となるパウチ包装物の厚みより若干狭くなるように構成すると、パウチ包装物を安定的に固定することができる。前記隙間の具体的な寸法は特に限定されないが、前記隙間が陳列対象となるパウチ包装物の厚みより、０．１ｍｍから０．７ｍｍ程度狭くなるように構成することが好ましい。
【００４６】
［３−３］開口部：
本発明のディスプレイスタンドは、図１Ａから図１Ｄに示すディスプレイスタンド１のように、背板２の下端近傍領域（および／または前板の下端近傍領域）に、背板２（および／または前板）を貫通し、かつ、ディスプレイスタンド１の幅方向に延びる開口部１２が少なくとも１箇所形成されていることが好ましい。このような開口部を形成することで、底板の上面や隙間の内部に埃が溜まった場合でも容易に除去することができ、メンテナンス性に優れる点において好ましい。
【００４７】
なお、「背板の下端近傍領域」とは、背板の下端から背板の高さの１／２の高さに至るまでの領域を意味し、「前板の下端近傍領域」とは、前板の下端から前板の最大高さの１／２の高さに至るまでの領域を意味する。図１Ａから図１Ｄに示すディスプレイスタンド１のように、背板２に線状凸部８と開口部１２の双方が形成されている場合には、開口部１２は背板２の下端と線状凸部８の間の領域に（前板に線状凸部と開口部の双方が形成されている場合には、開口部は前板の下端と線状凸部の間の領域に）形成されていることが好ましい。
【００４８】
開口部の幅方向の形成位置は特に限定されない。ただし、図１Ａおよび図１Ｃに示すディスプレイスタンド１のように、開口部１２が背板２の幅方向の中央部に（開口部が前板に形成されている場合には開口部が前板の幅方向の中央部に）形成されていることが好ましい。開口部の長さは特に限定されない。ただし、図１Ａおよび図１Ｃに示すディスプレイスタンド１のように、開口部１２が背板２の全幅の８０％以上をカバーする長さに（開口部が前板に形成されている場合には開口部が前板の全幅の８０％以上をカバーする長さに）形成されていることが好ましい。
【００４９】
開口部の形状は特に限定されない。例えば、図１Ａおよび図１Ｃに示すディスプレイスタンド１のように、開口部１２の形状を略矩形状とすることができる。なお、開口部が背板や前板の下端に近づき過ぎると、背板や前板の強度が低下するおそれがある。したがって、開口部の下端と背板や前板の下端との間隔は少なくとも３ｍｍ以上空けることが好ましく、５ｍｍ以上空けることがさらに好ましい。ただし、背板や前板が十分な強度を有する場合などには、開口部の下端と背板や前板の下端が一致するように構成してもよい。
【００５０】
［３−４］前板： 
本発明のディスプレイスタンドは、図１Ａから図１Ｄに示すディスプレイスタンド１のように、パウチ包装物２０を正面側から押さえつける前板４を備える。
【００５１】
また、本発明のディスプレイスタンドは、図１Ａから図１Ｄに示すディスプレイスタンド１のように、前板４は、背板２の正面のうち少なくとも下端側領域を覆っている。「下端側領域」とは、背板の下端から背板の上端方向に連続し、かつ、背板の上端にまでは至らない領域を指す。「少なくとも下端側領域」としたのは、前板が背板の下端から上端までの一部を覆う形態の他、前板が背板の下端から上端までの全部を覆う形態も本発明の範囲に含める趣旨である。
【００５２】
さらに、本発明のディスプレイスタンドは、図１Ａから図１Ｄに示すディスプレイスタンド１のように、背板２と前板４の間に形成される隙間１０が、前板４の下端側から前板４の上端側に向かうにつれて狭まるように構成されていることが好ましい。このような構成とすると、図１Ｄに示すように、隙間１０に差し込まれたパウチ包装物２０が、線状凸部８によって前板４側に押し付けられることに加えて、前板４の上端によって背板２側にも押し付けられる。このように、前板４の上端と線状凸部８の２点で、パウチ包装物２０を前後から挟み付けるように固定することで、パウチ包装物２０の固定効果が更に向上する。
【００５３】
前板の下端側の隙間に対し、前板の上端側の隙間がどの程度、狭まっていればよいかは特に限定されない。ただし、前板の下端側の隙間に対し、前板の上端側の隙間を５０％以上７０％以下とすることが好ましく、５５％以上６５％以下とすることがさらに好ましい。
【００５４】
前板の全体形状は特に限定されない。背板と同様に、矩形状または正方形状としてもよい。ただし、図１Ａおよび図１Ｃに示すディスプレイスタンド１のように、前板４の上端を波型に形成してもよい。このような形態は、ディスプレイスタンドのデザイン性を向上させる点において好ましい。
【００５５】
［３−５］底板： 
本発明のディスプレイスタンドは、図１Ａから図１Ｄに示すディスプレイスタンド１のように、パウチ包装物２０を下端側から支える底板６を備える。底板６は、背板２の下端と前板４の下端を繋ぐように配置されている。底板の幅（図１Ｂで言えば図面左右方向の寸法）は特に限定されない。ただし、パウチ包装物を十分に挿入可能な幅とすることが好ましい。
【００５６】
［３−６］材質：
背板、前板、底板、背板保持板、線状凸部の材質は特に限定されない。ただし、パウチ包装物のデザインを十分に視認させるため、透明性が高い樹脂であることが好ましく、アクリル樹脂、塩化ビニル、ＰＥＴであることがさらに好ましい。
【００５７】
［４］本発明のディスプレイスタンドの製造方法：
本発明のディスプレイスタンドの製造方法は特に限定されない。ただし、本発明のディスプレイスタンドは、図１Ｅに示すような板状部材を形成した後、折り曲げ加工をすることで製造することができる。図１Ｅに示す板状部材は、ＰＥＴ製の一枚板を、前板４、底板６、背板２および背板保持板１４を有する形状に切り出し、その一部をくり貫いて開口部１２を形成し、別体の線状凸部８を貼り合わせることにより形成することができる。
【実施例】
【００５８】
以下、実施例を用いて本発明のディスプレイスタンドをさらに具体的に説明する。ただし、本発明はその特定事項を満たす全ての実施形態を包含するものであり、以下に示す実施例の形態のみに限定されるものではない。
【００５９】
（実施例１）
図１Ｅに示すような板状部材を形成した後、折り曲げ加工をすることで、図１Ａから図１Ｄに示すディスプレイスタンド１を製造した。この板状部材は厚さ１．０ｍｍのＰＥＴ板で形成した。すなわち、ディスプレイスタンド１の背板２、前板４、底板６、背板保持板１４および線状凸部８は全てＰＥＴにより形成した。
【００６０】
背板２は、１２０ｍｍ×８０ｍｍの矩形状とした。背板保持板１４は、１２０ｍｍ×７０ｍｍの矩形状とした。背板２と背板保持板１４のなす角度は４０°とした。これにより、背板２とディスプレイスタンド１の設置面とがなす角度は６０°となった。
【００６１】
線状凸部８は、長さ１２０ｍｍで、側方から見た形状が直角二等辺三角形の三角柱状に形成した。線状凸部８の高さは１．４ｍｍとし、背板２の下端から２２ｍm上方の位置に配置した。線状凸部８の直下で、かつ、背板２の幅方向の中央部に開口部１２を形成した。開口部１２は１００ｍｍ×１５ｍｍの略矩形状に形成した。
【００６２】
前板４は、幅が１２０ｍｍで、上端側を波型に形成した略矩形状とした。高さは最小３５ｍｍ、最大４８ｍｍとした。底板６は、１２０ｍｍ×７ｍｍの矩形状に形成した。背板２と前板４の間に形成される隙間１０は、前板４の下端側が５ｍｍ、前板４の上端側が３ｍｍとなるように形成した。
【００６３】
なお、図１Ｃおよび図１Ｄに示すパウチ包装物２０は、３５ｍｍ×１１０ｍｍの略矩形状の扁平パウチに、化粧用クリームが充填されたものである。このパウチ包装物２０は、最大厚さが３．５ｍｍであった。
【産業上の利用可能性】
【００６４】
本発明のディスプレイスタンドは、液状香粧品、例えば、基礎化粧品（化粧水、化粧用クリームなど）；洗浄料（洗顔料、ボディーソープ、シャンプーなど）；毛髪化粧品（リンス、コンディショナー、トリートメント、スタイリング剤など）；メイクアップ用化粧品；などが扁平パウチに充填されたパウチ包装物を面陳列するためのディスプレイスタンドとして利用することができる。
【符号の説明】
【００６５】
１：ディスプレイスタンド、２：背板、４：前板、６：底板、８，８ａ，８ｂ，８ｃ：線状凸部、１０：隙間、１２：開口部、１４：背板保持板、１６，１６ａ，１６ｂ，１６ｃ：傾斜面、２０：パウチ包装物、５１：ディスプレイスタンド、５２：背板、５４：前板、５６：底板、６０：隙間、６４：背板保持板。
【図１Ａ】
0006694681.tif 000002
【図１Ｂ】
0006694681.tif 000003
【図１Ｃ】
0006694681.tif 000004
【図１Ｄ】
0006694681.tif 000005
【図１Ｅ】
0006694681.tif 000006
【図２Ａ】
0006694681.tif 000007
【図２Ｂ】
0006694681.tif 000008
【図２Ｃ】
0006694681.tif 000009
【図２Ｄ】
0006694681.tif 000010
【図３Ａ】
0006694681.tif 000011
【図３Ｂ】
0006694681.tif 000012
【図３Ｃ】
0006694681.tif 000013
【図３Ｄ】
0006694681.tif 000014